(57)【要約】  二通り以上の色データを組み合わせて新規新たなデータ源を形成しデフォーカス信号に対する感度を増強することができる。その新規形成データ源についてデフォーカス検出を実行することができる。設定ステップにて、訓練ウェハを用い最良な色組合せを選定すること及びデフォーカス検出しきい値を得ることができる。これにはセグメントマスクの適用、そのセグメントの平均強度の計算、デフォーカス感度が最適になる色組合せの特定、並びに対感度しきい値を上回る諸画素に基づく第２セグメントマスクの生成が含まれうる。検出ステップにて、選定された色組合せを計算しそのしきい値を適用することでデフォーカス検出結果が得られる。
2019532339.tif 000002
【特許請求の範囲】
【請求項１】
コントローラを用いウェハのダイにセグメントマスクを適用することでそのダイ上にセグメントを形成するステップと、
前記コントローラを用い、前記セグメントの平均強度を、明視野モードを用い赤色、緑色及び青色にて、並びに暗視野モードを用い赤色、緑色及び青色にて計算するステップと、
前記コントローラを用いデフォーカス値をそれら平均強度と比較するステップと、
前記コントローラを用い、デフォーカス感度が最適になる色組合せを特定するステップと、
前記コントローラを用い、デフォーカスに対する感度を前記セグメント内の画素毎に求めるステップと、
前記コントローラを用いしきい値を前記画素毎感度に適用するステップと、
前記対感度しきい値を上回る諸画素に基づき、前記コントローラを用い、前記ダイ上に第２セグメントマスクを生成するステップと、
を有する方法。
【請求項２】
請求項１に記載の方法であって、前記ウェハが焦点変調を伴う訓練ウェハである方法。
【請求項３】
請求項１に記載の方法であって、前記ウェハが前記ダイを複数個有し、前記生成及び前記計算がそのウェハ上のダイ毎に反復される方法。
【請求項４】
請求項１に記載の方法であって、前記ダイの一部を覆うよう前記セグメントマスクが構成される方法。
【請求項５】
請求項１に記載の方法であって、前記比較が、前記平均強度に対するデフォーカス値の散布図の生成を含む方法。
【請求項６】
請求項１に記載の方法であって、更に、前記コントローラを用い前記しきい値を調整するステップを有する方法。
【請求項７】
請求項１の方法であって、前記しきい値を前記画素毎感度に適用する際にダイ内全画素平均強度を用いる方法。
【請求項８】
プログラムが格納される非一時的コンピュータ可読媒体であり、そのプログラムが、プロセッサに指令することにより、
ダイにセグメントマスクを適用することでそのダイ上にセグメントを形成し、
明視野モード使用時の赤色、緑色及び青色を含むデータで以て、並びに暗視野モード使用時の赤色、緑色及び青色を含むデータで以て、前記セグメントの平均強度を計算し、
デフォーカス値をそれら平均強度と比較し、
デフォーカス感度が最適になる色組合せを特定し、
デフォーカスに対する感度を前記セグメント内の画素毎に求め、
しきい値を前記画素毎感度に適用し、且つ
前記対感度しきい値を上回る諸画素に基づき、前記ダイ上に第２セグメントマスクを生成するよう、
構成されている非一時的コンピュータ可読媒体。
【請求項９】
請求項８に記載の非一時的コンピュータ可読媒体であって、ウェハが前記ダイを複数個有し、前記生成及び前記計算がそのウェハ上のダイ毎に反復される非一時的コンピュータ可読媒体。
【請求項１０】
請求項８に記載の非一時的コンピュータ可読媒体であって、前記ダイの一部を覆うよう前記セグメントマスクが構成される非一時的コンピュータ可読媒体。
【請求項１１】
請求項８に記載の非一時的コンピュータ可読媒体であって、前記デフォーカス値の比較が、前記平均強度に対する前記デフォーカス値の散布図の生成を含む非一時的コンピュータ可読媒体。
【請求項１２】
請求項８に記載の非一時的コンピュータ可読媒体であって、前記プログラムが、更に、前記しきい値を調整するよう構成されている非一時的コンピュータ可読媒体。
【請求項１３】
請求項８に記載の非一時的コンピュータ可読媒体であって、前記しきい値を前記画素毎感度に適用する際にダイ内全画素平均強度が用いられる非一時的コンピュータ可読媒体。
【請求項１４】
ウェハを保持するよう構成されたチャックと、
前記ウェハの表面を計測するよう構成された計測システムであり、明視野モード及び暗視野モードを用いそのウェハの像をもたらす計測システムと、
前記計測システムと電子通信するコントローラであり、プロセッサ、そのプロセッサと電子通信する電子データ格納ユニット、並びにそのプロセッサと電子通信する通信ポートを有するコントローラと、
を備え、前記コントローラが、
前記ウェハのダイにセグメントマスクを適用することでそのダイ上にセグメントを形成し、
前記明視野モード使用時の赤色、緑色及び青色を含むデータで以て、並びに前記暗視野モード使用時の赤色、緑色及び青色を含むデータで以て、前記セグメントの平均強度を計算し、
デフォーカス値をそれら平均強度と比較し、
デフォーカス感度が最適になる色組合せを特定し、
デフォーカスに対する感度を前記セグメント内の画素毎に求め、
しきい値を前記画素毎感度に適用し、且つ
前記対感度しきい値を上回る諸画素に基づき、前記ダイ上に第２セグメントマスクを生成するよう、
構成されているシステム。
【請求項１５】
請求項１４に記載のシステムであって、前記ウェハが複数個のダイを有するシステム。
【請求項１６】
請求項１４に記載のシステムであって、前記コントローラにより適用される前記セグメントマスクが、前記ダイの一部を覆うよう構成されているシステム。
【請求項１７】
請求項１４に記載のシステムであって、前記デフォーカス値の比較が、前記平均強度に対する前記デフォーカス値の散布図の生成を含むシステム。
【請求項１８】
請求項１４に記載のシステムであって、前記コントローラが、更に、前記しきい値を調整するよう構成されているシステム。
【請求項１９】
請求項１４に記載のシステムであって、前記しきい値を前記画素毎感度に適用する際にダイ内全画素平均強度を用いるシステム。
【発明の詳細な説明】
【技術分野】
【０００１】
本件開示はリソグラフィデフォーカス（焦点ずれ；離焦）検出に関する。
【背景技術】
【０００２】
（関連出願への相互参照）
本願は、２０１６年９月２３日付米国仮特許出願第６２／３９９２５１号に基づく優先権主張を伴うので、この参照を以てその開示内容を本願に繰り入れることにする。
【０００３】
半導体製造業の発展につれ歩留まり管理に対する期待、とりわけ計量及び検査システムに対するそれがかつてなく強まっている。限界寸法（クリティカルディメンション）が縮小される一方でウェハサイズは増している。市場により、同業界は、高歩留まり高付加価値生産の達成時間の短縮へと駆り立てられている。即ち、歩留まり問題を検出してからそれを正すまでの総時間を短縮することで、半導体製造業者にとっての投資収益率が決まってくる。
【０００４】
限界寸法が縮小されるにつれ、リソグラフィ分解能を良好にすることが、小さくなったフィーチャ（外形特徴）を印刷するのに必要となっている。リソグラフィ焦点深度が小さくなりつつあることは、些細な問題でもリソグラフィ焦点に影響すること、例えばアライメント（整列）問題や機械的振動でそうなることを意味している。リソグラフィでは、フォトレジストにおけるフィーチャの焦点外れ露出によりフォトレジストエッジが不鮮明になりかねず、ひいては横方向フィーチャ寸法が不正確になりかねない。このデフォーカスが検出されなかったら半導体歩留まりが害を被るであろう。有効な検査無しでは、デフォーカス問題が検出されないまま、そのリソグラフィ工程の後、数多くの製造工程が行われてしまう。
【０００５】
既存のマクロ検査システムでは、限界寸法が縮小されるにつれデフォーカスの検出が一層難しくなることが明らかであろう。デフォーカス検出感度が高い新規技術の開発が、局所及び拡張デフォーカス欠陥のいずれに関しても、限界寸法が縮小を続けるにつれ重要になろう。
【先行技術文献】
【特許文献】
【０００６】
【特許文献１】米国特許出願公開第２０１４／０１１４５９７号
【発明の概要】
【発明が解決しようとする課題】
【０００７】
従来のアルゴリズムでは、各色源からのデータについて欠陥検出が相独立に実行され、その上で検出結果が結合合成される。１個の色源では全てのデフォーカス値を感知できない。全体的なデフォーカス検出が、強いデフォーカスしか検知できないのでは貧弱になる。そのため、より秀逸なデフォーカス検出技術が求められている。
【課題を解決するための手段】
【０００８】
第１実施形態では方法が提供される。セグメントマスクをウェハのダイに適用することでそのダイ上にセグメントを形成する。そのセグメントの平均強度を、明視野モードを用い赤色、緑色及び青色にて、また暗視野モードを用い赤色、緑色及び青色にて計算する。デフォーカス値をそれら平均強度と比較する。デフォーカス感度が最適になる色組合せ（色値結合；色コンビネーション）を特定する。デフォーカスに対する感度をそのセグメント内の画素毎に求める。その感度に対するしきい値を画素毎に適用する。その対感度しきい値を上回る諸画素に基づき、そのダイ上に第２セグメントマスクを生成する。これらのステップはいずれもコントローラを用い実行すればよい。
【０００９】
ウェハは焦点変調を伴う訓練ウェハにするとよい。
【００１０】
ウェハは、ダイを複数個有するものとすることができる。上掲の生成及び計算は、そのウェハ上のダイ毎に反復させることができる。
【００１１】
セグメントマスクは、ダイの一部を覆うよう構成することができる。
【００１２】
前記比較には、前記平均強度に対するデフォーカス値の散布図の生成を含めることができる。
【００１３】
本方法は、更に、コントローラを用い前記しきい値を調整するステップを有するものとすることができる。
【００１４】
画素毎感度にしきい値を適用する際、ダイ内の全画素の平均強度を用いてもよい。
【００１５】
第２実施形態では、プログラムが格納される非一時的コンピュータ可読媒体が提供される。そのプログラムは、プロセッサに指令することで、セグメントマスクをダイに適用してそのダイ上にセグメントを形成し、明視野モード使用時の赤色、緑色及び青色を含むデータで以て、並びに暗視野モード使用時の赤色、緑色及び青色を含むデータで以て、そのセグメントの平均強度を計算し、デフォーカス値をそれら平均強度と比較し、デフォーカス感度が最適になる色組合せを特定し、デフォーカスに対する感度をそのセグメント内の画素毎に求め、その画素毎感度にしきい値を適用し、且つその対感度しきい値を上回る諸画素に基づきそのダイ上に第２セグメントマスクを生成するよう、構成される。
【００１６】
ウェハは、ダイを複数個有するものとすることができる。上掲の生成及び計算は、そのウェハ上のダイ毎に反復させることができる。
【００１７】
セグメントマスクは、ダイの一部を覆うよう構成することができる。
【００１８】
デフォーカス値の比較には、前記平均強度に対するデフォーカス値の散布図の生成を含めることができる。
【００１９】
前記プログラムを、前記しきい値を調整するよう構成することができる。
【００２０】
しきい値を画素毎感度に適用する際に、ダイ内の全画素の平均強度を用いてもよい。
【００２１】
第３実施形態ではシステムが提供される。本システムは、ウェハを保持するよう構成されたチャックと、そのウェハの表面を計測するよう構成された計測システムと、その計測システムと電子通信するコントローラと、を有する。そのコントローラは、プロセッサと、そのプロセッサと電子通信する電子データ格納ユニットと、そのプロセッサと電子通信する通信ポートと、を有する。前記計測システムは、明視野モード及び暗視野モードを用いウェハの像をもたらす。前記コントローラは、ウェハのダイにセグメントマスクを適用することでそのダイ上にセグメントを形成し、明視野モード使用時の赤色、緑色及び青色を含むデータで以て、並びに暗視野モード使用時の赤色、緑色及び青色を含むデータで以て、そのセグメントの平均強度を計算し、デフォーカス値をそれら平均強度と比較し、デフォーカス感度が最適になる色組合せを特定し、デフォーカスに対する感度をセグメント内の画素毎に求め、しきい値をその画素毎感度に適用し、且つその対感度しきい値を上回る諸画素に基づきそのダイ上に第２セグメントマスクを生成するよう、構成される。
【００２２】
ウェハは、ダイを複数個有するものとすることができる。
【００２３】
コントローラにより適用されるセグメントマスクを、ダイの一部を覆うよう構成することができる。
【００２４】
デフォーカス値の比較には、前記平均強度に対するデフォーカス値の散布図の生成を含めることができる。
【００２５】
コントローラは、前記しきい値を調整するよう構成することができる。
【００２６】
前記しきい値を画素毎感度に適用する際に、ダイ内の全画素の平均強度を用いてもよい。
【００２７】
本件開示の性質及び諸目的のより遺漏なき理解のためには、以下の添付図面と併せ後掲の詳細記述を参照すべきである。
【図面の簡単な説明】
【００２８】
【図１】本件開示の一実施形態に係る方法のフローチャートである。
【図２】明視野又は暗視野照明使用時の三色に関し強度とデフォーカスとを比較する一例チャートである。
【図３Ａ】図１中の一ステップの例を示す図である。
【図３Ｂ】図１中の他ステップの例を示す図である。
【図３Ｃ】図１中の他ステップの例を示す図である。
【図３Ｄ】図１中の他ステップの例を示す図である。
【図３Ｅ】図１中の他ステップの例を示す図である。
【図３Ｆ】図１中の他ステップの例を示す図である。
【図４】本件開示の他実施形態に係る方法のフローチャートである。
【図５】本件開示の一実施形態に係るシステムのブロック図である。
【発明を実施するための形態】
【００２９】
特許請求の範囲記載の主題を特定の諸実施形態により記述するけれども、本願中で説明される長所及び特徴全てを提供しない諸実施形態を含め、他の諸実施形態もまた本件開示の技術的範囲内である。様々な構造的、論理的、処理ステップ的及び電子的改変を、本件開示の技術範囲から離隔することなく施すことができる。従って、本件開示の技術的範囲は添付する特許請求の範囲への参照によってのみ定義される。
【００３０】
二通り以上の色データを組み合わせれば新たなデータ源を形成することができる。その色組合せによってデフォーカス信号に対する感度を向上させる。その新規形成データ源についてデフォーカス検出を実行する。これら本願記載の諸技術はリソグラフィデフォーカス検出に用いうるものである。
【００３１】
それらの技術では設定ステップ及び検出ステップが必要となりうる。設定ステップでは、訓練ウェハを用い、最良な色組合せを選ぶこと及びデフォーカス検出しきい値を得ることができる。検出ステップでは、選ばれた色組合せを計算することができ、且つそのしきい値を適用してデフォーカス検出結果を得ることができる。
【００３２】
図１は一実施形態に係る方法１００のフローチャートである。本方法１００中の諸ステップのうち一部又は全てをコントローラにより実行することができる。
【００３３】
１０１ではセグメントマスクがウェハのダイ（例．ウェハのダイの像）に適用され、それによりそのダイ上にセグメントが形成される。このセグメントマスクのことを粗セグメントマスクと呼ぶことができる。一例を図３Ａ中に見ることができる。粗セグメントマスクを用いることで、デフォーカスに対し敏感であると判明しているエリア又はエリア群に焦点を当てることができる。そのセグメントマスクをユーザが選んでもよい。例えば、ダイパターンレイアウトについての知識に基づきユーザがセグメントマスクを選ぶことができる。それが可能でないなら、ダイ全体を粗セグメントマスクとして用いてもよい。粗セグメントマスクをデザインから得ることもできる。例えば、方形その他の形状でダイの一部を覆うことで、セグメント、例えばそのダイの周縁エリア（例．メモリセルにより占められないエリア）を形成することができる。
【００３４】
図１中の１０２では、そのセグメントの平均強度が、明視野モードを用い赤色、緑色及び青色にて、並びに暗視野モードを用い赤色、緑色及び青色にて計算される。そのセグメントの諸エリアのうちデフォーカスに対し敏感でないものを含めることで、付加的な情報を得ることができる。
【００３５】
１０３では一通り又は複数通りのデフォーカス値がそれら平均強度と比較される。どのダイでもデフォーカス値が現れうる。その比較に際し平均強度に対するデフォーカス値の散布図を生成してもよい。図２の例では単純化のため散布図に代え傾向線が用いられている。図２の例では、赤色（Ｒ）強度がデフォーカスにつれ上昇し、緑色（Ｇ）強度がデフォーカスにつれ低下している。青色（Ｂ）も示されている。従って、赤を緑で除したもの（Ｒ／Ｇ）に等しい新たなデータは、デフォーカスにつれより一層上昇するので、デフォーカス信号に対しより敏感となろう。他の潜在的色組合せ候補としてはＲ／Ｂ、（Ｒ＊Ｒ）／（Ｇ＊Ｂ）、Ｒ−Ｇ、Ｂ＊Ｇ又はＢ＋Ｇがある。
【００３６】
図１に戻ると、１０４ではデフォーカス感度が最適になる色組合せ（例．赤を緑で除したもの）が特定される。幾通りかの色組合せをユーザ又はアルゴリズム側で選んでもよい。例えば図３Ｂに見られるように、色組合せ毎に散布図を生成することができる。その上で、ユーザ又はアルゴリズム側で、最良のものを選べばよい。ある種の例では、色組合せ候補それぞれについて新たなデータが生成される。その新規データについてダイ毎のセグメント平均が計算される。各新規データに関し同じ散布図が生成される。その上で、デフォーカスに対し最も敏感なコンビネーションが選ばれる。
【００３７】
デフォーカス感度が最適になる組合せは処理工程毎に異なりうる。ウェハ上のパターンはデバイス毎、処理工程又はリソグラフィ工程毎に固定される。これは、最良な色組合せもまた固定されうるということである。反面、別のデバイス又は別の処理工程に関しては色組合せを選び直す必要がある。
【００３８】
デフォーカスと強度との間の関係を比較し、或いはデフォーカス感度が最適になる色組合せに関しプロットしてもよい。これにより、そのコンビネーションが個別の色又はモードのいずれよりも良いことを、確認することができる。
【００３９】
図１中の１０５ではデフォーカスに対する感度がそのセグメント内の画素毎に求められる。粗セグメント内の画素毎に、その新規データの対デフォーカス感度が計算される。例えば、図３Ｃには感度マップが示されている。それら画素のうちデフォーカスに対し最も敏感な画素群を選んで第２セグメントマスク、即ち細セグメントマスクと称しうるそれを形成すればよい。図３Ｄには細セグメントマスクの一例が示されている。図３Ｄ中の細セグメントマスクは図３Ｃ中の感度マップに基づくものである。
【００４０】
図１中の１０６ではしきい値が画素毎感度に適用される。細セグメントマスク内の全画素がそのしきい値を上回る必要がある。
【００４１】
ある種の例では、細セグメントマスク内の全画素に関し差分強度が個々のダイについて計算される。一例として、図３Ｅに、二通りの値を呈する差分強度を示す。第１値については、単純化のため、７個のうち２個しか注記していない。差分強度についてのしきい値をチューニングすることで、デフォーカスを検出することができる。これを踏まえ、しきい値を調整すればよい。
【００４２】
図１の１０７では、その対感度しきい値を上回る諸画素に基づき、そのダイについて第２セグメントマスクが生成される。図３Ｆでは図３Ｅ中のダイにしきい値が適用され、それにより二つの値が除去されている。
【００４３】
そのしきい値は反復的要領で設定されうる。例えば、画素感度しきい値を設定して、細セグメントマスクを計算し、デフォーカス検出を実行し、そしてそれらの結果を評価する。その結果から見て改善が必要な場合にしきい値が調整される。
【００４４】
方法１００の諸ステップを設定ステップと呼ぶことができる。設定ステップからの出力には、色組合せ、第２（細）セグメントマスク及び検出しきい値が含まれうる。
【００４５】
焦点変調を伴う訓練ウェハを選んでもよい。例えば、焦点露光マトリクス（ＦＥＭ）ウェハを選ぶことができる。
【００４６】
ウェハがダイを複数個有していてもよい。上掲の生成及び計算はそのウェハ上のダイ毎に反復しうるものである。
【００４７】
第２セグメントマスク生成後には、生産ウェハについて検出を実行することができる。しきい値を上回るもの全てをデフォーカスとしてマークすることができる。これを検出ステップと呼ぶことができる。ある実施形態では、各試験対象ウェハについての検出ステップで、設定ステップに倣い色組合せが計算され、細セグメントマスク内差分強度が計算され、差分強度に対し検出しきい値が適用され、そしてデフォーカス検出結果が得られる。
【００４８】
図４は他実施形態に係る方法２００のフローチャートである。本実施形態では生産ウェハについてのデフォーカス検出が描出されている。破線は、設定ステップからの出力が検出ステップへの入力として用いられることを、指し示している。３個の検出内ステップは、それら検出内ステップで生産ウェハが用いられること以外は設定ステップ内の対応するものと同じでよい。
【００４９】
本願記載のアルゴリズムによれば、複数通りの色源データを組み合わせて新規データ源を形成すること、またそれをデフォーカス信号に対し元々の色源データよりも敏感なものとすることができる。
【００５０】
本アルゴリズムによれば、生成されるセグメントマスクを、デフォーカス信号に対し最も敏感な画素しか含まれないものにすることができる。デフォーカス検出を、そのセグメントマスク内の画素のみについて実行することで、誤検出を抑えることができる。
【００５１】
この画素毎結果を、ダイ平均又はフィールド（レティクル）平均を求め、プロセス変動や実ウェハ欠陥（例えば粒子やスクラッチ）からの影響を更に抑圧することで、改善することができる。即ち、平均強度であれば偽像やノイズを排することができる。
【００５２】
実施形態によっては、各画素について検出を実行するのに代え、ダイ又はレティクル内セグメントマスク内全画素平均強度が用いられうる。ダイ平均やレティクル平均の長所は、局所的プロセス変動や実欠陥（例えば粒子やスクラッチ）からの影響を抑圧できることにある。
【００５３】
図５は一実施形態に係るシステム３００のブロック図である。本システム３００は、ウェハ３０７その他のワークピースを保持するよう構成されたチャック３０６を有している。チャック３０６は、１軸、２軸又は３軸運動又は回動するよう構成することができる。チャック３０６は、例えばＺ軸周りでスピンするよう構成することもできる。
【００５４】
本システム３００は、ウェハ３０７の表面を計測するよう構成された計測システム３０１をも有している。計測システム３０１により、光ビーム、電子ビーム又は広帯域プラズマを発生させ或いはその他の技術を用い、ウェハ３０７の表面を計測することができる。
【００５５】
本システム３００及び／又は計測システム３０１によれば、ＣＩＳ画素に対し色整合した照明波長を選択可能にすること、並びに欠陥管理のため感度及びスループットセッティングを調整可能にすることができる。計測システム３０１内センサの各画素を、色フィルタにより、特定色（例．赤、緑又は青）に応答するものにすることができる。本システム３００及び／又は計測システム３０１によれば、ウェハ３０７の明視野及び／又は暗視野照明を行うことができる。
【００５６】
本システム３００及び／又は計測システム３０１によれば、明視野光学チャネル及び暗視野光学チャネルの同時提供により広範囲な欠陥種別を単一パスにて捉えること、例えばマイクロレンズ変形、レジスト及びフォールオン欠陥、色汚染或いは大きな汚れ及びストライエーションを捉えることができる。
【００５７】
本システム３００はコントローラ３０２と通信する。そのコントローラ３０２は、例えば、計測システム３０１その他、システム３００の構成部材と通信することができる。コントローラ３０２は、プロセッサ３０３と、そのプロセッサ３０３と電子通信する電子データ格納ユニット３０４と、プロセッサ３０３と電子通信する通信ポート３０５とを、有するものとすることができる。お察し頂けるように、実際のところ、コントローラ３０２はハードウェア、ソフトウェア及びファームウェアのどのような組合せで実現してもよい。また、その機能であり本願記載のものを単一のユニットによって実行しても複数個の部材間で分かち合ってもよく、更にはその部材それぞれをハードウェア、ソフトウェア及びファームウェアのどのような組合せで実現してもよい。コントローラ３０２に諸方法及び諸機能を実行・実現させるためのプログラムコード又は命令は、コントローラ可読格納媒体、例えば電子データ格納ユニット３０４内メモリ、コントローラ３０２内、コントローラ３０２外、或いはそれらの組合せに格納すればよい。
【００５８】
コントローラ３０２を、どのようなものであれ好適な要領で（例．１個又は複数個の伝送媒体例えば「有線」及び／又は「無線」伝送媒体を含むそれを介し）本システム３００の構成諸部材に結合させることで、本システム３００により生成された出力例えば計測システム３０１からの出力を、そのコントローラ３０２にて受け取れるようにすることができる。コントローラ３０２を、その出力を用い多数の機能を実行するよう構成するとよい。例えば、ウェハ３０７の検査を実行するようコントローラ３０２を構成してもよい。また例えば、その出力を電子データ格納ユニット３０４その他の格納媒体へとその出力の吟味無しで送るよう、コントローラ３０２を構成してもよい。その他、コントローラ３０２は本願記載の如く構成されうる。
【００５９】
コントローラ３０２その他、本願記載のシステム（群）及びサブシステム（群）は、パーソナルコンピュータシステム、イメージコンピュータ、メインフレームコンピュータシステム、ワークステーション、ネットワーク機器、インターネット機器その他の装置を含め、様々な形態を採りうる。一般に、語「コントローラ」は、記憶媒体から得た命令を実行するプロセッサを１個又は複数個有する装置全てが包括されるよう、広義に定義することができる。そのサブシステム（群）やシステム（群）が、更に、本件技術分野で既知で好適な何らかのプロセッサ、例えば並列プロセッサを有していてもよい。加えて、そのサブシステム（群）やシステム（群）が、スタンドアロンツール又はネットワーク化ツールたる高速処理プラットフォーム及びソフトウェアを有していてもよい。
【００６０】
本システムに複数個のサブシステムを具備させる場合、それら異種サブシステム同士を結合させることで、画像、データ、情報、命令等々をそれらサブシステム間で送れるようにすることができる。例えば、あるサブシステムを更なるサブシステム（群）へと何らかの好適な伝送媒体により結合させればよく、それには本件技術分野で既知で好適なあらゆる有線及び／又は無線伝送媒体が含まれうる。そうしたサブシステムのうち２個以上を共有コンピュータ可読格納媒体（図示せず）によって実質的に結合させてもよい。
【００６１】
本システム３００を、欠陥レビューシステム、検査システム、計量システムその他の種類のシステムの一部としてもよい。即ち、本願記載の諸実施形態により語られている幾つかの構成を、相異なる能力を有し相異なる用途に多少とも適するシステム向けに、多様な要領で仕上げることができる。
【００６２】
コントローラ３０２は、計測システム３０１その他、本システム３００の構成部材と電子通信することができる。コントローラ３０２を本願記載の諸実施形態のうちいずれに従い構成してもよい。また、コントローラ３０２を、計測システム３０１の出力を用い、或いは他の源泉からの画像又はデータを用い、他の諸機能又は付加的な諸ステップを実行するよう、構成してもよい。
【００６３】
更なる実施形態は、コントローラ上で実行可能なプログラムが格納される非一時的コンピュータ可読媒体であり、本願記載の如くデフォーカス検出向けのコンピュータ実施方法を実行するためのものに、関するものである。とりわけ、図５に示すように、コントローラ３０２に、電子データ格納ユニット３０４内メモリその他の電子データ格納媒体と併せ、コントローラ３０２上で実行可能なプログラム命令群が組み込まれた非一時的コンピュータ可読媒体を具備させることができる。そのコンピュータ実施方法には、本願記載のいずれの方法（群）のいずれのステップ（群）を含めてもよい。例えば、図１又は図４の諸ステップのうち幾つか又は全てを実行するようコントローラ３０２に対しプログラミングしてもよい。ある種の例によれば、コントローラ３０２によって、セグメントマスクをダイに適用することでそのダイ上にセグメントを形成し、明視野モード使用時の赤色、緑色及び青色を含むデータで以て、並びに暗視野モード使用時の赤色、緑色及び青色を含むデータで以て、そのセグメントの平均強度を計算し、デフォーカス値をそれら平均強度と比較し、デフォーカス感度が最適になる色組合せを特定し、デフォーカスに対する感度をそのセグメント内の画素毎に求め、その画素毎感度にしきい値を適用し、且つその対感度しきい値を上回る諸画素に基づきそのダイ上に第２セグメントマスクを生成することができる。電子データ格納ユニット３０４内メモリその他の電子データ格納媒体は格納媒体、例えば磁気又は光ディスク、磁気テープその他、本件技術分野で知られており好適なあらゆる非一時的コンピュータ可読媒体とすることができる。
【００６４】
それらプログラム命令は、就中、手続きベース技術、要素ベース技術及び／又はオブジェクト指向技術を含め、諸手法のいずれで実装してもよい。例えば、それらプログラム命令を、望むところに従い、ＡｃｔｉｖｅＸ（登録商標）コントロール、Ｃ＋＋オブジェクト、ＪａｖａＢｅａｎｓ（登録商標）、Ｍｉｃｒｏｓｏｆｔ（登録商標）ＦｏｕｎｄａｔｉｏｎＣｌａｓｓｅｓ（“ＭＦＣ”）、ＳＳＥ（ストリーミングＳＩＭＤエクステンション）その他のテクノロジ又は方法論を用い、実装すればよい。
【００６５】
また、他の実施形態に従い、コントローラ３０２をシステム３００の構成部材又はサブシステムのうちいずれに可通信結合させてもよく、またそれを本件技術分野で既知ないずれの要領で行ってもよい。更に、伝送媒体例えば有線及び／又は無線区間を有するそれにより他システムからのデータ又は情報（例．検査システム例えばレビューツールからの検査結果、デザインデータを含むリモートデータベース等）を受け取り及び／又は捉えるよう、コントローラ３０２を構成してもよい。こうすることで、その伝送媒体を、コントローラ３０２と本システム３００の他サブシステム又は本システム３００外のシステムとの間のデータリンクとして働かせるとよい。
【００６６】
実施形態によっては、システム３００並びに本願記載の諸方法の諸ステップ、機能及び／又は動作が、電子回路、論理ゲート、マルチプレクサ、プログラマブル論理デバイス、ＡＳＩＣ、アナログ又はディジタルコントローラ／スイッチ、マイクロコントローラ及び情報処理システムのうち１個又は複数個により実行される。プログラム命令であり方法例えば本願記載のそれを実現するそれを、キャリア媒体上で伝送させ又はその上に格納してもよい。そのキャリア媒体には格納媒体、例えばリードオンリメモリ、ランダムアクセスメモリ、磁気又は光ディスク、不揮発性メモリ、固体メモリ、磁気テープ等が含まれうる。キャリア媒体には伝送媒体、例えばワイヤ、ケーブル又は無線伝送リンクが含まれうる。例えば、本件開示の随所に記載の諸ステップを、単一のコントローラ３０２（又はコンピュータシステム）により実行しても、或いは複数個のコントローラ３０２（又は複数個のコンピュータシステム）により実行してもよい。更に、本システム３００の諸サブシステムに１個又は複数個の情報処理又は論理システムを具備させてもよい。従って、上掲の記述は本件開示についての限定としてではなく単なる例証として解されるべきである。
【００６７】
本件開示の随所で用いられている「ウェハ」は、半導体又は非半導体素材で形成された基板のことを指しているといえよう。半導体又は非半導体素材の例としては、これに限られるものではないが、単結晶シリコン、ヒ化ガリウム及び燐化インジウムがある。ウェハが１個又は複数個の層を有していてもよい。そうした層の例としては、これに限られるものではないが、レジスト、誘電素材、導電素材又は半導体素材を含むものがあろう。本件技術分野ではその種の層について多くの種類、例えばこれに限られるものではないがアイソレーション層、インプランテーション層等が知られている。本願中の用語「ウェハ」は、その上に何であれそうした層が形成されうる基板を包括する意図のものである。
【００６８】
本方法の各ステップは本願記載の如く実行されうる。また、本方法に、本願記載のコントローラ及び／又はコンピュータサブシステム（群）又はシステム（群）により実行可能ないずれの他ステップ（群）を含めてもよい。それらのステップは１個又は複数個のコンピュータシステムにより実行することが可能であり、またそのコンピュータシステムを本願記載の諸実施形態のいずれに従い構成してもよい。加えて、上述の諸方法を本願記載のシステム実施形態のうちいずれにより実行してもよい。
【００６９】
本件開示について、１個又は複数個の具体的実施形態を基準にして記述してきたが、本件開示の技術的範囲から離隔することなく、本件開示の他の諸実施形態をなすことができる。従って、本件開示は、添付する諸請求項及びその合理的解釈によってのみ限定されるものと認められる。
【図１】
2019532339.tif 000003
【図２】
2019532339.tif 000004
【図３Ａ】
2019532339.tif 000005
【図３Ｂ】
2019532339.tif 000006
【図３Ｃ】
2019532339.tif 000007
【図３Ｄ】
2019532339.tif 000008
【図３Ｅ】
2019532339.tif 000009
【図３Ｆ】
2019532339.tif 000010
【図４】
2019532339.tif 000011
【図５】
2019532339.tif 000012
【国際調査報告】
2019532339.tif 000013
2019532339.tif 000014